(57)【要約】【課題】本発明は、ハネを防止することができるガイドワイヤを提供することを目的とする。【解決手段】本発明のガイドワイヤは、後端部から先端部に向かって縮径したコアシャフトと、上記先端部の外周に巻回されたコイル体とからなるガイドワイヤであって、上記先端部は、最先端に位置している最先端部と、上記最先端部に結合している中間部とを含んで形成されており、上記最先端部の断面形状は、矩形であり、上記中間部の断面形状は、上記最先端部側から上記後端部側に向かって矩形から円形に徐々に変化しており、上記最先端部の長さは、上記中間部の長さよりも短いことを特徴とする。【選択図】図１
2012200291.tif 000002
【特許請求の範囲】
【請求項１】
後端部から先端部に向かって縮径したコアシャフトと、
前記先端部の外周に巻回されたコイル体とからなるガイドワイヤであって、
前記先端部は、最先端に位置している最先端部と、
前記最先端部に結合している中間部とを含んで形成されており、
前記最先端部の断面形状は、矩形であり、
前記中間部の断面形状は、前記最先端部側から前記後端部側に向かって矩形から円形に徐々に変化しており、
前記最先端部の長さは、前記中間部の長さよりも短いことを特徴とする。
【請求項２】
前記最先端部の長さが１ｍｍ以上３ｍｍ未満であり、前記中間部の長さが３ｍｍ以上４ｍｍ未満である請求項１に記載のガイドワイヤ。
【請求項３】
前記コイル体のうちで、前記最先端部及び前記中間部の外周に巻回された領域を形成する素線のピッチが一定である請求項１又は２に記載のガイドワイヤ。
【請求項４】
前記コイル体の内部に配設された撚線円筒体をさらに有しており、前記撚線円筒体の内部を前記コアシャフトが貫通している請求項１〜３のいずれかに記載のガイドワイヤ。
【請求項５】
前記撚線円筒体と前記コアシャフトとが第１固定部で固定されており、前記コイル体と前記コアシャフトとが前記第１固定部から離間した第２固定部で固定されている請求項４に記載のガイドワイヤ。
【発明の詳細な説明】
【技術分野】
【０００１】
本発明は、ガイドワイヤに関する。
【背景技術】
【０００２】
従来、経皮的冠動脈形成術（以下、単にＰＴＣＡともいう）に使用される医療用機械器具の一つとして、バルーンやステント等のデバイスを病変部まで導くために使用されるガイドワイヤが知られている。
【０００３】
このようなガイドワイヤとして、例えば、特許文献１には、後端部及び先端部を有するコアシャフトと、コアシャフトの外周を被覆している合成樹脂被膜とからなるガイドワイヤが開示されている。
【０００４】
係る従来のガイドワイヤにおけるコアシャフトの先端部は、平板状の最先端部と、最先端部に結合しており、平板状から円筒状に徐々に形状が変化している中間部と、中間部に結合している円柱状の円柱部とから形成されている。また、最先端部の長さは、中間部の長さよりも充分に長い。
なお、ガイドワイヤにおいては、コアシャフトの先端部側がガイドワイヤの遠位部であり、コアシャフトの後端部側がガイドワイヤの近位部となる。ガイドワイヤの遠位部は体内に挿入され、ガイドワイヤの近位部は医師等の手技者によって操作される。
【０００５】
このような構成を有する従来のガイドワイヤは、先端部の柔軟性が高く、ガイドワイヤの導入作業を容易に行うことができるとされている。
【先行技術文献】
【特許文献】
【０００６】
【特許文献１】特開２００６−２８９１１５号公報
【発明の概要】
【発明が解決しようとする課題】
【０００７】
特許文献１に記載された従来のガイドワイヤが複雑に湾曲した血管内に挿入された場合において、ガイドワイヤの近位部を回転させると、回転の初期段階では近位部の回転数と遠位部の回転数とが一致せず、遠位部がほとんど回転しない。
しかしながら、そのまま近位部の回転を続けると、それまでほとんど回転していなかった遠位部が急激に回転し、ガイドワイヤがハネることがある。
【０００８】
本発明者がそのようなガイドワイヤのハネの原因について検討したところ、コアシャフトの先端部の形状に起因してハネが発生していると考えられた。
このことについて、図面を用いて以下に説明する。
【０００９】
図５（ａ）は、従来のガイドワイヤのコアシャフトをその長手方向に沿って縦に切断した状態を模式的に示す縦断面図であり、図５（ｂ）は、図５（ａ）に示すコアシャフトをその長手方向に沿って横に切断した状態を模式的に示す横断面図である。
図５（ｃ）は、図５（ａ）及び図５（ｂ）に示すコアシャフトの最先端部のＤ−Ｄ線断面図であり、図５（ｄ）は、図５（ａ）及び図５（ｂ）に示すコアシャフトの中間部のＥ−Ｅ線断面図である。
【００１０】
図５（ａ）及び図５（ｂ）に示すように、従来のガイドワイヤに使用するコアシャフト１００は後端部１１０と先端部１２０とを有しており、後端部１１０から先端部１２０に向かって縮径している。
【００１１】
先端部１２０は、平板状の最先端部１３０と、最先端部１３０に結合しており、平板状から円柱状に徐々に形状が変化している中間部１４０と、中間部１４０に結合している円柱状の円柱部１５０とから形成されている。
【００１２】
図５（ｃ）に示すように、最先端部１３０は、長辺を含み面積がより大きい主面に対して垂直方向（図５（ｃ）の上下方向Ｌ１）から外力が加わった場合に曲がりやすく、短辺を含み面積がより小さい側面に対して垂直方向（図５（ｃ）の左右方向Ｌ２）から外力が加わった場合に曲がりにくく、最先端部１３０は、曲がりやすさに方向性を有する。それに加えて、最先端部１３０の長さは中間部１４０の長さよりも充分に長いため、最先端部１３０の柔軟性が高い。
しかしその反面、コアシャフト１００の長手軸を回転軸として後端部１１０を左右に回転させた場合には、発生したねじれ力により柔軟な最先端部１３０がねじれやすい。
なお、図５（ｄ）に示すように、中間部１４０の形状は円柱状に近いので、曲がりやすさの方向性が小さい。そのため、中間部１４０の柔軟性は最先端部１３０よりも低く、ねじれにくい。
【００１３】
係るコアシャフト１００を有するガイドワイヤは遠位部の曲がりやすさに方向性を有するため、近位部を回転させると遠位部がねじれやすく、回転の初期段階では遠位部がほとんど回転しない。しかし、そのまま近位部の回転を続けた場合には、それまでほとんど回転していなかった遠位部が急激に回転し、ハネが発生してしまう。
【００１４】
このように従来のガイドワイヤは、ハネにより血管内壁を傷つけやすく、ハネが大きい場合には穿孔を生じるおそれもある。
【課題を解決するための手段】
【００１５】
本発明者が上記課題を解決すべく鋭意検討した結果、柔軟な最先端部の長さを中間部の長さよりも短くすることによりガイドワイヤのハネを防止することができることを見出し、本発明のガイドワイヤを完成させた。
【００１６】
即ち、本発明のガイドワイヤは、後端部から先端部に向かって縮径したコアシャフトと、上記先端部の外周に巻回されたコイル体とからなるガイドワイヤであって、上記先端部は、最先端に位置している最先端部と、上記最先端部に結合している中間部とを含んで形成されており、上記最先端部の断面形状は、矩形であり、上記中間部の断面形状は、上記最先端部側から上記後端部側に向かって矩形から円形に徐々に変化しており、上記最先端部の長さは、上記中間部の長さよりも短いことを特徴とする。
【００１７】
本発明のガイドワイヤの構成及び効果について、以下に図面を用いて詳しく説明する。
【００１８】
図１（ａ）は、本発明の一実施形態に係るガイドワイヤをその長手方向に沿って縦に切断した状態を模式的に示す縦断面図であり、図１（ｂ）は、図１（ａ）に係るガイドワイヤをその長手方向に沿って横に切断した状態を模式的に示す横断面図である。
図２（ａ）は、図１（ａ）に示すガイドワイヤの先端部を拡大して示す先端部拡大図であり、図２（ｂ）は、図１（ｂ）に示すガイドワイヤの先端部を拡大して示す先端部拡大図である。
図３（ａ）は、図２（ａ）及び図２（ｂ）に示すガイドワイヤの最先端部のＡ−Ａ線断面図であり、図３（ｂ）は、図２（ａ）及び図２（ｂ）に示すガイドワイヤの中間部のＢ−Ｂ線断面図であり、図３（ｃ）は、図２（ａ）及び図２（ｂ）に示すガイドワイヤの円柱部のＣ−Ｃ線断面図である。
なお、以下の説明では、ガイドワイヤの遠位部とコアシャフトの先端部とをともに同じ符号で示し、ガイドワイヤの近位部とコアシャフトの後端部とをともに同じ符号で示すこととする。また、コイル体の一部又は全部を破線で示すことにより、コイル体の一部又は全部の図示を省略することがある。
【００１９】
図１（ａ）及び図１（ｂ）に示す本発明のガイドワイヤ１は、後端部１１から先端部１２に向かって縮径したコアシャフト１０と、先端部１２の外周に巻回されたコイル体２０とからなる。
【００２０】
図１（ａ）、図１（ｂ）、図２（ａ）及び図２（ｂ）に示すように、先端部１２は、最先端に位置している最先端部１３と、最先端部１３に結合している中間部１４とを含んで形成されている。
【００２１】
図３（ａ）に示すように、最先端部１３の断面形状は矩形である。
そのため、最先端部１３は、図３（ａ）の上下方向Ｌ１から外力が加わると曲がりやすく、左右方向Ｌ２から外力が加わると曲がりにくい。即ち、最先端部１３は、外力が加わった場合における曲がりやすさの方向性が大きく、柔軟性が高い。
なお、本明細書において、「断面形状」とは、コアシャフトの長手方向に対して垂直な方向に沿ってコアシャフトを切断した場合の断面形状をいうものとする。
【００２２】
図３（ｂ）に示す中間部１４の断面形状は、最先端部１３側から後端部１１側に向かって矩形から円形に徐々に変化している。
そのため、中間部１４は、図３（ｂ）及び図３（ｃ）の上下方向Ｌ１から外力が加わっても左右方向Ｌ２から外力が加わっても、最先端部１３に比べて略均一に曲がりやすく、中間部１４は曲がりやすさの方向性が小さい。
【００２３】
曲がりやすさの方向性が大きい最先端部１３の長さＸ１は、曲がりやすさの方向性が小さい中間部１４の長さＸ２よりも短い。
よって、最先端部１３の柔軟性をある程度確保することができるのはもちろんのこと、コアシャフト１０の長手軸を回転軸として後端部１１を左右に回転させた場合であっても最先端部１３がねじれにくい。
なお、本明細書において、後述する先端ロウ付け部がガイドワイヤの最先端に形成されており、先端ロウ付け部の内部に最先端部の一部が埋め込まれている場合、先端ロウ付け部の内部に埋め込まれた最先端部の一部の長さは、「最先端部の長さ」に含めないこととする。
【００２４】
係るコアシャフト１０を有するガイドワイヤ１は遠位部１２の曲がりやすさの方向性が小さいため、近位部１１を回転させ続けても遠位部１２がねじれにくい。しかも、遠位部１２は、ある程度柔軟である。
そのため、本発明のガイドワイヤ１は、血管内壁を傷つけにくく、穿孔が生じにくい。
【００２５】
本発明のガイドワイヤでは、上記最先端部の長さが１ｍｍ以上３ｍｍ未満であり、上記中間部の長さが３ｍｍ以上４ｍｍ未満であることが望ましい。
【００２６】
本発明のガイドワイヤでは、上記コイル体のうちで、上記最先端部及び上記中間部の外周に巻回された領域を形成する素線のピッチが一定であることが望ましい。
【００２７】
本発明のガイドワイヤにおいては、上記コイル体の内部に配設された撚線円筒体をさらに有しており、上記撚線円筒体の内部を上記コアシャフトが貫通していることが望ましい。
【００２８】
本発明のガイドワイヤにおいては、上記撚線円筒体と上記コアシャフトとが第１固定部で固定されており、上記コイル体と上記コアシャフトとが上記第１固定部から離間した第２固定部で固定されていることが望ましい。
【図面の簡単な説明】
【００２９】
【図１】図１（ａ）は、本発明の一実施形態に係るガイドワイヤをその長手方向に沿って縦に切断した状態を模式的に示す縦断面図であり、図１（ｂ）は、図１（ａ）に係るガイドワイヤをその長手方向に沿って横に切断した状態を模式的に示す横断面図である。
【図２】図２（ａ）は、図１（ａ）に示すガイドワイヤの先端部を拡大して示す先端部拡大図であり、図２（ｂ）は、図１（ｂ）に示すガイドワイヤの先端部を拡大して示す先端部拡大図である。
【図３】図３（ａ）は、図２（ａ）及び図２（ｂ）に示すガイドワイヤの最先端部のＡ−Ａ線断面図であり、図３（ｂ）は、図２（ａ）及び図２（ｂ）に示すガイドワイヤの中間部のＢ−Ｂ線断面図であり、図３（ｃ）は、図２（ａ）及び図２（ｂ）に示すガイドワイヤの円柱部のＣ−Ｃ線断面図である。
【図４】図４（ａ）は、本発明の別の実施形態に係るガイドワイヤの先端部を拡大して示す先端部拡大図であり、図４（ｂ）は、図４（ａ）に示す先端部を、その長手軸を中心軸として４５度回転させて異なる方向から見た場合の先端部拡大図である。
【図５】図５（ａ）は、従来のガイドワイヤのコアシャフトをその長手方向に沿って縦に切断した状態を模式的に示す縦断面図であり、図５（ｂ）は、図５（ａ）に示すコアシャフトをその長手方向に沿って横に切断した状態を模式的に示す横断面図である。図５（ｃ）は、図５（ａ）及び図５（ｂ）に示すコアシャフトの最先端部のＤ−Ｄ線断面図であり、図５（ｄ）は、図５（ａ）及び図５（ｂ）に示すコアシャフトの中間部のＥ−Ｅ線断面図である。
【発明を実施するための形態】
【００３０】
（第一実施形態）
以下、本発明のガイドワイヤの一実施形態である第一実施形態について図面を参照しながら説明する。
本実施形態のガイドワイヤは、上述した本発明のガイドワイヤと同様の構成を有しているため、以下の説明では、図１〜図３を参照しながら説明する。
なお、本発明のガイドワイヤに係る説明と重複する事項については、説明を省略することもある。
【００３１】
図１〜図３に示す本実施形態のガイドワイヤ１は、後端部１１から先端部１２に向かって縮径したコアシャフト１０と、先端部１２の外周に巻回されたコイル体２０とからなる。
先端部１２は、最先端に位置している最先端部１３と、最先端部１３に結合している中間部１４とを含んで形成されている。
最先端部１３の断面形状は矩形であり、中間部１４の断面形状は最先端部１３側から後端部１１側に向かって矩形から円形に徐々に変化している。
そして、最先端部１３の長さは、中間部１４の長さよりも短い。
以下、本実施形態のガイドワイヤ１の構成について詳述する。
【００３２】
（第一実施形態のガイドワイヤに係るコアシャフトの構成）
図１（ａ）及び図１（ｂ）に示すように、後端部１１は略均一の直径を有する円柱状である。また、後端部１１の最後端には、延長用のガイドワイヤ等を取り付ける連結部１１ａが形成されている。
【００３３】
後端部１１の最先端は、最先端部１３側に向かって縮径した先細り円柱状のテーパー部１６と結合している。
【００３４】
テーパー部１６の最先端は、テーパー部１６の最先端の直径をその最大径とし、最先端部１３側に向かって縮径した先端部１２と結合している。
【００３５】
このように、コアシャフト１０は、後端部１１と先端部１２との間にテーパー部１６が形成されており、後端部１１から先端部１２に向かって縮径している。
【００３６】
図２（ａ）及び図２（ｂ）に示すように、先端部１２は、最先端に位置している最先端部１３と、最先端部１３に結合している中間部１４と、中間部１４に結合している円柱部１５とから形成されている。
【００３７】
図３（ａ）を示して既に説明したとおり、最先端部１３の断面形状は矩形である。
より具体的にいうと、最先端部１３の形状は平板状であり、最先端部１３をその長手方向に沿った中間地点で切断した場合の断面形状は、図３（ａ）に示すように、対向する２つの長辺と対向する２つの短辺とにより囲まれた細長の矩形状である。
それゆえ、最先端部１３は、曲がりやすさの方向性が大きく、先端部１２のなかでは最も柔軟である。
最先端部１３の長さＸ１は、１ｍｍ以上３ｍｍ未満であることが望ましい。
【００３８】
図３（ｂ）を示して既に説明したとおり、中間部１４の断面形状は最先端部１３側から後端部１１側に向かって矩形から円形に徐々に変化している。
即ち、最先端部１３により近い側での中間部１４の断面形状は略矩形であり、円柱部１５により近い側での中間部１４の断面形状は略円形である。また、中間部１４をその長手方向に沿った中間地点で切断した場合の断面形状は、図３（ｂ）に示すように、対向する２つの辺と対向する２つの円弧とにより囲まれた変形矩形状である。
それゆえ、中間部１４は、曲がりやすさの方向性が小さく、最先端部１３よりも柔軟性が低い。
中間部１４の長さＸ２は、３ｍｍ以上４ｍｍ未満であることが望ましい。
【００３９】
最先端部１３の長さＸ１は、中間部１４の長さＸ２よりも短い。
【００４０】
円柱部１５の断面形状は、円形である。例えば、円柱部１５をその長手方向に沿った任意の位置で切断した場合の断面形状は、図３（ｃ）に示すように、円形である。
それゆえ、円柱部１５は、曲がりやすさの方向性がかなり小さく、最先端部１３及び中間部１４に比べて柔軟性がより低い。
また、円柱部１５の長さＸ３は、４０ｍｍ以上６０ｍｍ未満であることが望ましい。
【００４１】
（第一実施形態のガイドワイヤに係るコイル体の構成）
図１（ａ）及び図１（ｂ）に示すように、コイル体２０は、単一又は複数の素線２１をらせん状に巻回することにより形成されており、内部に貫通孔を有する管状体である。
【００４２】
コイル体２０の内部には先端部１２が挿通されており、コイル体２０は先端部１２を覆っている。なお、先端部１２とコイル体２０の内壁とは、所定の間隔をあけて離間している。
【００４３】
図２（ａ）及び図２（ｂ）に示すように、コイル体２０のうちで、最先端部１３及び中間部１４の外周に巻回された領域を形成する素線２１のピッチＹは一定である。
【００４４】
また、コイル体２０のうちで円柱部１５の外周に巻回された領域では、隣り合う素線２１同士が互いに接触しており、密巻きとなっている。
【００４５】
コイル体２０の先端２２とコアシャフト１０の最先端部１３とは、半球状の先端ロウ付け部３０により互いに固着している。
また、コイル体２０の後端２３とコアシャフト１０の円柱部１５の後端とは、後端ロウ付け部３１により互いに固着している。
なお、先端ロウ付け部３０と後端ロウ付け部３１との間に、一個又は複数個の中間ロウ付け部が形成されていてもよい。
【００４６】
（第一実施形態のガイドワイヤの製造方法）
本実施形態のガイドワイヤは、例えば、上述した所定形状となるように素線に対してテーパー加工やプレス加工等を施すことによりコアシャフトを作製し、作製したコアシャフトの先端部をコイル体に挿入した後、コアシャフトとコイル体とを所定の位置でロウ付けすることにより製造することができる。
【００４７】
本実施形態のガイドワイヤの作用効果を以下に列挙する。
（１）本実施形態のガイドワイヤに係るコアシャフトにおいて、柔軟性が高く、ねじれやすい最先端部の長さは、柔軟性が低く、ねじれにくい中間部の長さよりも短い。
それゆえ、コアシャフトの先端部はある程度の柔軟性を有するものの、ねじれにくい。
このようなコアシャフトを有する本実施形態のガイドワイヤは、近位部を回転させ続けても遠位部が追従して回転しやすく、遠位部がねじれにくい。
従って、本実施形態のガイドワイヤは、ハネを防止することが可能であり、血管内壁を傷つけにくく、穿孔が生じにくい。
【００４８】
（２）最先端部の長さが１ｍｍ以上３ｍｍ未満であり、中間部の長さが３ｍｍ以上４ｍｍ未満である場合には、効果（１）を特に好適に享受することができるので望ましい。
一方、最先端部の長さが１ｍｍ未満であると、最先端部の長さが短すぎて柔軟性が低下することがあり、最先端部の長さが３ｍｍを超えると、最先端部の長さが長すぎてねじれやすくなり、場合によってはハネが発生しやすくなることがある。
また、中間部の長さが３ｍｍ未満であると、中間部の長さが短すぎて最先端部から円柱部へとコアシャフトの形状が急激に変化するため、曲げ力やねじり力により中間部近傍が破損しやすくなることがある。それとは反対に、中間部の長さが４ｍｍを超えると、中間部の長さが長すぎて、ガイドワイヤの近位部を回転させた場合に生じるトルクを遠位部の最先端まで効率よく伝えにくくなることがある。
【００４９】
（３）コイル体のうちで、最先端部及び中間部の外周に巻回された領域を形成する素線のピッチが一定であり、コイル体の当該領域の柔軟性がより高い。上述したように、最先端部及び中間部は円柱部よりも柔軟性が高いので、このこととあいまってガイドワイヤの遠位部（特に遠位部の最先端）の柔軟性がより高い。
【００５０】
（４）コイル体のうちで円柱部の外周に巻回された領域では、隣り合う素線同士が互いに接触しており、密巻きとなっている。
従って、当該領域はねじれ力が加わってもねじれにくく、ガイドワイヤの近位部を回転させた場合に生じるトルクを遠位部の最先端まで効率よく伝えることができる。
【００５１】
（第二実施形態）
以下、本発明のガイドワイヤの一実施形態である第二実施形態について図面を参照しながら説明する。
本実施形態のガイドワイヤは、コイル体の内部に配設された撚線円筒体をさらに有しており、撚線円筒体の内部をコアシャフトが貫通しており、撚線円筒体とコアシャフトとが第１固定部で固定されており、コイル体とコアシャフトとが第１固定部から離間した第２固定部で固定されていること以外は、上述した第一実施形態のガイドワイヤと同様の構成を有している。
よって、第一実施形態のガイドワイヤと重複する事項については説明を省略する。
【００５２】
図４（ａ）は、本発明の別の実施形態に係るガイドワイヤの先端部を拡大して示す先端部拡大図であり、図４（ｂ）は、図４（ａ）に示す先端部を、その長手軸を中心軸として４５度回転させて異なる方向から見た場合の先端部拡大図である。
【００５３】
図４（ａ）及び図４（ｂ）に示すように、本実施形態のガイドワイヤは、撚線円筒体４０をさらに有している。
【００５４】
撚線円筒体４０は、複数の素線４１を互いに撚り合わせることにより形成されており、内部に貫通孔を有する管状体である。
それゆえ、撚線円筒体４０は、可とう性を有していて柔軟であるし、塑性変形しにくい。
また、撚線円筒体４０の一端を回転させた場合には、撚線円筒体４０の他端が追従して回転しやすく、コイル体に比べてトルク伝達性に優れる。
【００５５】
撚線円筒体４０は、コイル体２０の内部に配設されており、撚線円筒体４０の内部をコアシャフトの先端部１２（最先端部１３、中間部１４及び円柱部１５）が貫通している。
【００５６】
コイル体２０の先端２２とコアシャフトの最先端部１３と撚線円筒体４０の先端４２は、半球状の先端ロウ付け部３０により互いに固着している。
コイル体２０の後端２３とコアシャフト１０の円柱部１５の後端とは、後端ロウ付け部３１により互いに固着している。
また、撚線円筒体４０の後端４３とコアシャフトの円柱部１５とが第１固定部３２で固定されている。
そして、コイル体２０の中間部とコアシャフトの円柱部１５とが第１固定部３２から後端部側に所定の距離離間した第２固定部３３で固定されている。
第１固定部３２又は第２固定部３３が形成された領域では、先端部１２及びコイル体２０がやや均一に曲がりにくい。
なお、第１固定部３２と第２固定部３３とは、先端ロウ付け部３０及び後端ロウ付け部３１と同様にロウ付け部により形成されていてもよい。
【００５７】
（第二実施形態のガイドワイヤの製造方法）
本実施形態のガイドワイヤは、例えば、次のようにして製造することができる。
まず、第一実施形態のガイドワイヤの製造方法と同様にして作製したコアシャフトを準備し、コアシャフトの先端部を撚線円筒体に挿入した後、先端部と撚線円筒体とを所定の位置でロウ付けする。
その後、撚線円筒体がコイル体により覆われるように先端部をコイル体に挿入した後、コアシャフトとコイル体とを所定の位置でロウ付けする。
【００５８】
本実施形態のガイドワイヤの作用効果を以下に列挙する。
本実施形態のガイドワイヤでも、上述した第一実施形態での作用効果（１）〜（４）を発揮することができる。
また、以下の作用効果（５）及び（６）についても発揮することができる。
【００５９】
（５）可とう性を有しており、塑性変形しにくい撚線円筒体の内部をコアシャフトが貫通しているので、ガイドワイヤの遠位部の柔軟性が高いにも関わらず、遠位部が塑性変形しにくい。また、トルク伝達性に優れる撚線円筒体を使用しているので、ガイドワイヤが高いトルク伝達性を有する。
【００６０】
（６）撚線円筒体とコアシャフトとが第１固定部で固定されており、コイル体とコアシャフトとが第１固定部から離間した第２固定部で固定されている。このように、やや均一に曲がりにくい第１固定部と第２固定部とが互いに離間して形成されているので、第１固定部と第２固定部とが重ねて形成された場合に比べて、ガイドワイヤの遠位部が均一に曲がりやすく、操作性に優れる。
【００６１】
（その他の実施形態）
本発明のガイドワイヤにおいて、最先端部の断面形状は矩形状であるが、最先端部のコアシャフトの断面形状は図３（ａ）に示した細長の矩形状に限定されず、曲がりやすさに方向性を有する形状であればよい。例えば、対向する２つの長辺と対向する２つの短円弧とにより囲まれた細長の変形矩形状等の断面形状であってもよい。
【００６２】
本発明のガイドワイヤにおいて、コイル体のうちで最先端部及び中間部の外周に巻回された領域を形成する素線のピッチは一定であることが望ましいが、当該領域を形成する素線同士が互いに接触しており、密巻きとなっていてもよい。
【００６３】
本発明のガイドワイヤにおいて、撚線円筒体をさらに有している場合、上述したように撚線円筒体は最先端部、中間部及び円柱部を覆っていてもよいが、撚線円筒体は最先端部のみを覆っていてもよく、最先端部及び中間部のみを覆っていてもよい。
【００６４】
上記撚線円筒体を形成している素線の材質は、例えば、ステンレス鋼、Ｎｉ−Ｔｉ合金等の超弾性合金、ピアノ線、タングステン線等の材料から構成されていてもよい。
上記ステンレスとしては、マルテンサイト系ステンレス、フェライト系ステンレス、オーステナイト系ステンレス、オーステナイト、フェライト二相ステンレス及び析出硬化ステンレス等のステンレスが挙げられる。
これらのなかでは、オーステナイト系ステンレスであることが望ましく、特にＳＵＳ３０４、ＳＵＳ３１６又はＳＵＳ３１６Ｌであることがより望ましい。
【００６５】
本発明のガイドワイヤにおいて、コアシャフトは、例えば、ステンレス鋼、Ｎｉ−Ｔｉ合金等の超弾性合金、ピアノ線、タングステン線等の材料から構成されていてもよい。
上記ステンレスとしては、マルテンサイト系ステンレス、フェライト系ステンレス、オーステナイト系ステンレス、オーステナイト、フェライト二相ステンレス及び析出硬化ステンレス等のステンレスが挙げられる。
これらのなかでは、オーステナイト系ステンレスであることが望ましく、特にＳＵＳ３０４、ＳＵＳ３１６又はＳＵＳ３１６Ｌであることがより望ましい。
【００６６】
本発明のガイドワイヤにおいて、コイル体を形成している素線は、マルテンサイト系ステンレス、フェライト系ステンレス、オーステナイト系ステンレス、オーステナイト、フェライト二相ステンレス又は析出硬化ステンレス等のステンレス、Ｎｉ−Ｔｉ合金等の超弾性合金、放射線不透過性金属である白金、金、タングステン等の材料から形成されていることが望ましい。
【００６７】
本発明のガイドワイヤにおいて、コイル体の形状は、コイル体の後端から先端に向かって縮径するテーパー形状であってもよい、
係るコイル形状を有するガイドワイヤは、慢性完全閉塞病変部等の硬い病変部への食い込みに優れるので望ましい。
【００６８】
本発明のガイドワイヤにおいて、ロウ付け部を構成するロウの材料としては、例えば、アルミニウム合金、銀、金、亜鉛、Ｓｎ−Ｐｂ合金、Ｓｎ−Ａｕ合金、Ｐｂ−Ａｇ合金、Ｓｎ−Ａｇ合金等の材料が挙げられる。
これらの中では、金、Ｓｎ−Ａｕ合金、Ｓｎ−Ａｇ合金が特に好ましい。ロウ付け部の強度がより高くなるからである。
【００６９】
本発明のガイドワイヤにおいて、ガイドワイヤの外表面には、親水性材料が被覆されていてもよい。
ガイディングカテーテル内、管状器官内又は体内組織内におけるガイドワイヤの摺動抵抗を低減させ、ガイドワイヤをスムーズに移動させることができるからである。
【００７０】
上記親水性材料としては、例えば、セルロース系高分子物質、ポリエチレンオキサイド系高分子物質、無水マレイン酸系高分子物質（例えば、メチルビニルエーテル−無水マレイン酸共重合体等の無水マレイン酸共重合体）、アクリルアミド系高分子物質（例えば、ポリアクリルアミド、ポリグリシジルメタクリレート−ジメチルアクリルアミドのブロック共重合体）、水溶性ナイロン、ポリビニルアルコール、ポリビニルピロリドン、ヒアルロン酸塩等が挙げられる。
これらの中では、ヒアルロン酸塩がより望ましい。
【符号の説明】
【００７１】
１  ガイドワイヤ
１０  コアシャフト
１１  後端部
１２  先端部
１３  最先端部
１４  中間部
２０  コイル体
Ｘ１  最先端部の長さ
Ｘ２  中間部の長さ
【図１】
2012200291.tif 000003
【図２】
2012200291.tif 000004
【図３】
2012200291.tif 000005
【図４】
2012200291.tif 000006
【図５】
2012200291.tif 000007